(57)【要約】【課題】被検索者のプライバシーを最大限確保しつつ、位置情報の取得可否について被検索者の判断を必要とせず、ネットワークにおいて位置情報取得許容制御を実現する。【解決手段】緊急通報の通報者（被検索者）と緊急機関（検索者）との間の通話情報に基づいて位置情報取得許容制御を行い、かつ、被検索者の移動端末１へ受付台７の検索者ＩＤを通知する際には検索者ＩＤを受付台７の集合体である緊急特番（例えば、「１１０」）に変換することにより、被検索者のプライバシーを確保しつつ、被検索者は緊急特番のみを認識して位置情報の送受信が可能になる。【選択図】      図１
2007274425.tif 000002
【特許請求の範囲】
【請求項１】
特番によって緊急通報を発信した移動端末の位置情報を、前記緊急通報の着信側の複数の受付台のいずれかが取得する処理を制御する位置情報取得制御装置であって、前記移動端末と前記受付台との間の通話情報に基づいて該受付台の認証を行う認証手段と、前記認証手段による認証後に、検索側である受付台のＩＤを、前記移動端末が発信した特番に変換する変換手段と、前記変換手段による変換後の特番を用いて前記移動端末へ位置情報を取得することを通知した上で、該移動端末から位置情報を取得する位置情報取得手段と、を含み、前記位置情報取得手段によって取得した前記移動端末の位置情報を前記受付台に通知することを特徴とする位置情報取得制御装置。
【請求項２】
前記移動端末と前記受付台との間で現在通話が行われている場合、前記認証手段は、前記移動端末の通話相手と前記受付台とが一致しているか判定することを特徴とする請求項１記載の位置情報取得制御装置。
【請求項３】
前記移動端末と前記受付台との通話が終了している場合、前記認証手段は、前記移動端末と前記受付台とが一定時間以内に通話を行っていたことを確認することを特徴とする請求項１記載の位置情報取得制御装置。
【請求項４】
前記移動端末がＧＰＳ機能を有している場合、前記位置情報取得手段は、前記移動端末の位置情報を、該移動端末から取得することを特徴とする請求項１から請求項３までのいずれか１項に記載の位置情報取得制御装置。
【請求項５】
前記位置情報取得手段は、前記移動端末が該移動端末の在圏基地局から送信される情報に基づいて測位した位置情報を取得することを特徴とする請求項１から請求項３までのいずれか１項に記載の位置情報取得制御装置。
【請求項６】
前記移動端末と前記受付台との間の通話情報を記憶保持する通話履歴記憶手段と、前記移動端末の在圏エリアが変更された場合には、変更先在圏エリアに対応する装置に前記通話情報を通知する通話履歴通知手段とを更に含むことを特徴とする請求項１から請求項５までのいずれか１項に記載の位置情報取得制御装置。
【発明の詳細な説明】
【技術分野】
【０００１】
本発明は位置情報取得制御装置に関し、特に移動端末からの緊急通報の特番接続時において、実際に通話している又は通話したことのある受付台に限定して、被検索者すなわち移動端末の位置情報を取得することのできる位置情報取得制御装置に関する。
【背景技術】
【０００２】
緊急通報の分野において、移動端末の発信者は「１１０」、「１１８」、「１１９」のような特番だけを認識している。このため、移動端末の発信者は特番をダイヤル操作して、音声電話またはテレビ電話の発信を行うことになる。しかしながら、実際にはネットワーク側で最適な受付台を選択し、音声電話またはテレビ電話による呼の接続先を決定している。この場合、発信者は、どの受付台と通話を行っているか認識しておらず、複数の受付台の集合体を特番でのみ認識している。
【０００３】
このとき、緊急通報に関連して、受付台から位置情報の取得が要求される可能性がある。例えば、特許文献１には、緊急発信した場合に、その発信者の所在位置をＤＧＰＳ（Differential GPS）手法により検出する技術が記載されている。また、特許文献２には、緊急連絡の際に、交換機において発信元サービスエリアを選択し、それを用いて緊急連絡先に発呼する技術が記載されている。さらに、特許文献３には、１１０番等の緊急通報が発信された場合に、その携帯端末の位置情報を通知する技術が記載されている。これらの他、従来技術においては、受付台単位で位置情報の取得を許容するか、または非許容とするか事前に設定した上で制御する機能が提供されていた。
【特許文献１】特開２００１−３３９５３６号公報
【特許文献２】特開２００３−８７４１号公報
【特許文献３】特開２００３−１９８７５８号公報
【発明の開示】
【発明が解決しようとする課題】
【０００４】
緊急通報のように発信者は特番のみを認識している状況で、実際に接続している受付台毎に位置情報の取得を許容するか、または非許容とするか設定することはできなかった。
また、同一緊急機関の受付台をすべて共通の検索者ＩＤとして管理してしまうことも考えられる。しかし、その場合、同一緊急機関の受付台であれば、実際に通話がなされていなかった受付台からも発信者の位置情報を取得できてしまうことに繋がる。これでは被検索者のプライバシーを十分に確保することができなくなってしまうという問題がある。
【０００５】
なお、特許文献１〜３に記載されている技術によれば、移動端末の位置情報を取得することができるが、受付台に対する移動端末すなわち被検索者のプライバシーが確保されていないという問題がある。
プライバシー確保のためには、緊急通報の接続先である受付台からの位置情報取得要求に対し、被検索者は事前に受付台毎に位置情報の取得を許容するか否かを事前に設定しておく必要がある。しかし、被検索者は自らの緊急通報に関連した受付台からの位置情報取得要求であるか否かを判断できない。このため、上記のような事前設定を行うことはできないという欠点がある。
【０００６】
本発明は上述した従来技術の問題点を解決するためになされたものであり、その目的は、被検索者のプライバシーを最大限確保しつつ、位置情報の取得可否について被検索者の判断を必要とせず、ネットワークにおいて位置情報取得許容制御を実現できる位置情報取得制御装置を提供することである。また、本発明の他の目的は位置情報取得要求を受けた際に、発信者に自らの緊急通報に関連した位置情報取得要求であることを通知できる位置情報取得制御装置を提供することである。
【課題を解決するための手段】
【０００７】
本発明の請求項１による位置情報取得制御装置は、特番によって緊急通報を発信した移動端末の位置情報を、前記緊急通報の着信側の複数の受付台のいずれかが取得する処理を制御する位置情報取得制御装置であって、前記移動端末と前記受付台との間の通話情報に基づいて該受付台の認証を行う認証手段と、前記認証手段による認証後に、検索側である受付台のＩＤを、前記移動端末が発信した特番に変換する変換手段と、前記変換手段による変換後の特番を用いて前記移動端末へ位置情報を取得することを通知した上で、該移動端末から位置情報を取得する位置情報取得手段と、を含み、前記位置情報取得手段によって取得した前記移動端末の位置情報を前記受付台に通知することを特徴とする。このような構成によれば、位置情報取得要求を受けた際に、発信者に自らの緊急通報に関連した位置情報取得要求であることを通知でき、被検索者のプライバシーを確保しつつ、被検索者は緊急通報の特番のみ認識して位置情報の送受信が可能になる。
【０００８】
本発明の請求項２による位置情報取得制御装置は、請求項１において、前記移動端末と前記受付台との間で現在通話が行われている場合、前記認証手段は、前記移動端末の通話相手と前記受付台とが一致しているか判定することを特徴とする。このように構成すれば、被検索者のプライバシーを確保できる。
本発明の請求項３による位置情報取得制御装置は、請求項１において、前記移動端末と前記受付台との通話が終了している場合、前記認証手段は、前記移動端末と前記受付台とが一定時間以内に通話を行っていたことを確認することを特徴とする。このように構成すれば、被検索者のプライバシーを確保できる。
【０００９】
本発明の請求項４による位置情報取得制御装置は、請求項１から請求項３までのいずれか１項において、前記移動端末がＧＰＳ機能を有している場合、前記位置情報取得手段は、前記移動端末の位置情報を、該移動端末から取得することを特徴とする。このような構成によれば、被検索者のプライバシーを確保しつつ、移動端末の緯度経度を取得することができる。
本発明の請求項５による位置情報取得制御装置は、請求項１から請求項３までのいずれか１項において、前記位置情報取得手段は、前記移動端末が在圏基地局から送信される情報に基づいて測位した位置情報を取得することを特徴とする。このような構成によれば、被検索者のプライバシーを確保しつつ、移動端末の緯度経度を取得することができる。
【００１０】
本発明の請求項６による位置情報取得制御装置は、請求項１から請求項５までのいずれか１項において、前記移動端末と前記受付台との間の通話情報を記憶保持する通話履歴記憶手段と、前記移動端末の在圏エリアが変更された場合には、変更先在圏エリアに対応する装置に前記通話情報を通知する通話履歴通知手段とを更に含むことを特徴とする。このような構成によれば、移動端末の在圏エリアが変更された場合でも、被検索者のプライバシーを確保しつつ、被検索者は緊急通報の特番のみ認識して位置情報の送受信が可能になる。
【発明の効果】
【００１１】
本発明は、緊急通報のような特番を発信している場合において、検索者と被検索者との間で通話情報に基づく位置情報取得許容制御をネットワーク上で実現し、また、被検索者へ検索者ＩＤを通知する際には検索者ＩＤを受付台の集合体である特番に変換することで、被検索者のプライバシーを確保しつつ、被検索者は緊急通報の特番のみ認識して位置情報の送受信も可能となるという効果を有する。
【発明を実施するための最良の形態】
【００１２】
以下、本発明の実施の形態を、図面を参照して説明する。なお、以下の説明において参照する各図では、他の図と同等部分は同一符号によって示されている。
（実施の形態）
図１は、本発明による位置情報取得制御装置を利用した位置情報取得システムの構成例を示すブロック図である。同図において、本例の位置情報取得システムは、被検索者であるユーザと共に移動する移動端末（Mobile Station：ＭＳ）１と、無線エリア１０を形成する基地局（Base Transceiver Station：ＢＴＳ）２と、基地局２の制御を行う無線制御局（Radio Network Controller：以下、ＲＮＣと呼ぶ）３と、位置情報取得制御装置として機能する移動通信加入者交換局（Mobile Switching Center：以下、ＭＳＣと呼ぶ）４と、移動通信回線網と固定電話回線網との間の信号変換処理等を行う移動通信関門交換局（Gateway Mobile Switching Center：以下、ＧＭＳＣと呼ぶ）５と、移動端末１についての位置情報提供機能を有する加入者情報管理装置（Gateway Mobile Location Center：以下、ＧＭＬＣと呼ぶ）６と、緊急連絡先２０の通信端末として機能する複数の受付台７とを含んで構成されている。
【００１３】
ＭＳＣ４は、ＣＰＵ（Central Processing Unit）、メモリ、入出力インタフェース、通信装置、表示装置など、周知のサーバ装置としてのハードウェア構成により、図２に示されているような機能を有している。すなわち、同図を参照すると、ＭＳＣ４は、移動端末と受付台との間の通話情報を記憶保持する通話履歴記憶機能４０と、通話履歴記憶機能４０によって記憶保持されている通話情報に基づいて受付台の認証を行う認証機能４１と、認証機能４１による認証後に、受付台のＩＤを、移動端末１が発信した特番に変換する変換機能４２と、変換機能４２による変換後の特番を用いた位置情報取得要求を移動端末１に送信した後、移動端末１の位置情報を取得する位置情報取得機能４３とを含み、位置情報取得機能４３によって取得した移動端末１の位置情報を受付台７に通知する。
【００１４】
認証機能４１は、移動端末１と受付台７との間で現在通話が行われている場合、移動端末１の通話相手と受付台７とが一致しているか判定する。また、認証機能４１は、移動端末１と受付台７との通話が終了している場合、移動端末１と受付台７とが一定時間以内に通話を行っていたことを確認する。
ＭＳＣ４が通話履歴記憶機能４０によって通話履歴として記憶保持している通話情報は、通話先や終話時刻等を含む情報である。この通話履歴を参照することにより、移動端末が現在通話中の受付台や、移動端末が一定時間以内の過去に通話したことのある受付台を認証することができる。
【００１５】
なお、ＭＳＣは無線エリア毎に設けられており、移動端末１が無線エリア１０から他の無線エリアに移動した場合、移動元の無線エリアに存在するＭＳＣから移動先の無線エリアに存在する他のＭＳＣへ上記通話履歴を通知する。このため、ＭＳＣ４は、通話履歴を他のＭＳＣへ通知する通話履歴通知機能４４を有している。つまり、この通話履歴通知機能４４は、移動端末の在圏エリアが変更された場合に、通話履歴記憶機能４０により記憶保持されている通話情報を、変更先在圏エリアに対応する装置へ通知する機能である。
【００１６】
ところで、緊急連絡先２０においては、負荷分散のために１つの電話番号（例えば、「１１０」）に対して複数の受付台７が存在する。この場合、適切な受付台７の集合体が、１つの検索者ＩＤを共通に利用することになる。
このような構成において、本システムでは、受付台７からの位置情報取得要求を受信した際に、被検索者の移動端末１と受付台７との間での通話履歴を確認し、通話中または一定時間以内に通話を行っていたことが確認できた場合に限り、位置情報の取得を許容する。他方、実際に通話を行っていない受付台からの位置情報の測位は、ネットワーク側で非許容とする。このように制御することによって、被検索者の移動端末１へ位置情報取得要求が送信された時点では被検索者のプライバシーが最大限に確保された上で、位置情報を取得することが可能となる。
【００１７】
また、位置情報取得要求を受け付けた際に検索者すなわち受付台７のＩＤが通知されているが、これを被検索者の移動端末１へ通知する際には被検索者がダイヤルした、受付台７の集合体である特番（例えば、「１１０」）に変換して通知する。このように変換することで、被検索者は緊急通報の特番のみ認識して位置情報を送受信できる。
【００１８】
以下、位置情報取得処理について、移動端末が特番接続通信中の場合、移動端末が待ち受け中の場合、に分けて説明する。
（通信中における位置情報取得処理）
移動端末と受付台との特番接続通信中に位置情報を取得する場合の処理について、図３を参照して説明する。同図は、被検索者の移動端末１、ＲＮＣ３、ＭＳＣ４、ＧＭＳＣ５、ＧＭＬＣ６、受付台７、において授受される信号等を示すシーケンス図である。
【００１９】
同図において、移動端末１のユーザは緊急通報の特番（本例では「１１０」）をダイヤルして発信する（Ｓ１０１）。すると、発信要求がＲＮＣ３を介してＭＳＣ４に送られる（Ｓ１０２）。ＭＳＣ４では、特番である「１１０」を裏番号へ展開する（Ｓ１０３）。例えば、「１１０」が「０３−１１１１−１１１１」に変換される。
さらに、この発信要求は、ＧＭＳＣ５を介して受付台７に送られ（Ｓ１０４、Ｓ１０５）、接続処理が行われる（Ｓ１０６）。この接続処理の後、移動端末１と受付台７とが音声電話又はテレビ電話によって通信中の状態となる（Ｓ１０７）。
【００２０】
その後、受付台７より通話と連動した位置情報取得要求が起動された場合（Ｓ１０８）、受付台７は位置情報取得要求をＭＳＣ４に向けて送信する（Ｓ１０９）。この位置情報取得要求には、検索者すなわち受付台７のＩＤ（本例では、７７７７７７７７）が含まれている。この位置情報取得要求は、ＧＭＬＣ６を介してＭＳＣ４が受信する（Ｓ１１０）。位置情報取得要求を受信したＭＳＣ４は、被検索者の現在の通話状態を検索する。本例では、通話状態は“通話中”であるため、通話先（つまり移動端末の通話相手）と位置情報取得要求元（つまり受付台７）が一致しているかどうか判定する。
【００２１】
ＭＳＣ４には、緊急通報の特番に対応する音声電話またはテレビ電話の接続先裏番号と、その接続した受付台の検索者ＩＤとが事前に登録されており、この登録内容を参照して判定を行う。例えば、図４に示されているように、代表番号「１１０」に対応して接続先裏番号「０３−１１１１−１１１１」及び検索者ＩＤ「７７７７７７７７」、代表番号「１１８」に対応して接続先裏番号「０３−２２２２−２２２２」及び検索者ＩＤ「８８８８８８８８」、代表番号「１１０」に対応して接続先裏番号「０３−３３３３−３３３３」及び検索者ＩＤ「９９９９９９９９」、というデータベースをＭＳＣ４内のメモリやハードディスク等に予め記憶しておき、このデータベースを参照して判定を行う。
【００２２】
図３に戻り、判定の結果、一致している場合には、ユーザのプライバシーは確保できていると判断し、検索者ＩＤを特番へ変換した後、移動端末１へ向けて位置情報取得要求を送信する（Ｓ１１１→Ｓ１１２→Ｓ１１３）。すなわち、このとき、検索者ＩＤには被検索者がダイヤルした特番が設定される。
位置情報取得要求を受信した被検索者の移動端末１では、通話先の受付台から位置情報の取得を要求されていることを認識でき、位置情報取得応答をＭＳＣ４に送信し（Ｓ１１４）、即時に位置情報測位（Ｓ１１５）を起動することが可能となる。この位置情報測位処理においては、移動端末１に内蔵されているＧＰＳ（Global Positioning System）機能を起動して移動端末１自身の現在の緯度経度を測位し、その結果を「位置情報」とする。
【００２３】
この位置情報測位（Ｓ１１５）によって得られた位置情報は、ＭＳＣ４から受付台７に向けて送信される。この場合、特番に変換されていた検索者ＩＤを元の検索者ＩＤに変換した後（Ｓ１１６）、得られた位置情報を位置情報取得応答として受付台へ送信する（Ｓ１１７、Ｓ１１８）。以上の処理により、一連の動作が完了する。
【００２４】
（待ち受け中における位置情報取得処理）
移動端末と受付台との通話が終了した後すなわち待ち受け中に位置情報を取得する場合の処理について、図５を参照して説明する。同図は、被検索者の移動端末１、ＲＮＣ３、ＭＳＣ４、ＧＭＳＣ５、ＧＭＬＣ６、受付台７、において授受される信号等を示すシーケンス図である。
同図において、移動端末１のユーザは緊急通報の特番（本例では「１１０」）をダイヤルして通話を行い（Ｓ２０１）、その後切断要求を送信して（Ｓ２０２）既に通話が終了していることを前提とする。切断要求が送信された場合、ＭＳＣ４において、通話先の検索者ＩＤが記憶保持される（Ｓ２０３）。その後、切断要求はＧＭＳＣ５を介して受付台７に送信される（Ｓ２０４→Ｓ２０５）。これにより、切断処理が行われる（Ｓ２０６）。
【００２５】
その後、受付台７より通話と連動した位置情報取得要求が起動された場合（Ｓ２０７）、受付台７は位置情報取得要求をＭＳＣ４に向けて送信する（Ｓ２０８）。この位置情報取得要求には、検索者すなわち受付台７のＩＤ（本例では、７７７７７７７７）が含まれている。この位置情報取得要求は、ＧＭＬＣ６を介してＭＳＣ４が受信する（Ｓ２０９）。位置情報取得要求を受信したＭＳＣ４は、被検索者の現在の通話状態を検索する。本例では、通話状態は既に通話が切断された後の“待ち受け中”であるため、履歴情報を参照する。この場合、位置情報取得要求元ＩＤすなわち検索者ＩＤが、一定時間以内に通話している履歴情報中に存在するか判定する（Ｓ２１０）。
【００２６】
この判定の結果、一定時間以内に通話を行っている履歴が確認できた場合には、ユーザのプライバシーは確保できていると判断し、検索者ＩＤを特番へ変換した後、移動端末１へ向けて位置情報取得要求を送信する（Ｓ２１０→Ｓ２１１→Ｓ２１２）。すなわち、このとき、検索者ＩＤには被検索者がダイヤルした特番が設定される。
位置情報取得要求を受信した被検索者の移動端末１では、通話先の受付台から位置情報の取得を要求されていることを認識でき、位置情報取得応答をＭＳＣ４に送信し（Ｓ２１３）、即時に位置情報測位（Ｓ２１４）を起動することが可能となる。この位置情報測位処理においては、移動端末１に内蔵されているＧＰＳ機能を起動して移動端末１自身の現在の緯度経度を測位し、その結果を「位置情報」とする。
【００２７】
この位置情報測位（Ｓ２１４）によって得られた位置情報は、ＭＳＣ４から受付台７に向けて送信される。この場合、特番に変換されていた検索者ＩＤを元の検索者ＩＤに変換した後（Ｓ２１５）、得られた位置情報を位置情報取得応答として受付台へ送信する（Ｓ２１６、Ｓ２１７）。以上の処理により、一連の動作が完了する。
【００２８】
（変形例）
上記の例では、移動端末１に設けられているＧＰＳ機能によって移動端末１の位置情報を取得しているが、その代わりに移動端末１が在圏しているエリアの基地局（すなわち在圏基地局）から送信される情報に基づいてＭＳＣ４が位置情報を取得してもよい。すなわち、各基地局は基地局自身のＩＤを送信しているため、このＩＤをＭＳＣ４において確認すればその基地局の位置を把握することができるので、これを位置情報としてもよい。この場合においても、検索側である受付台のＩＤを、移動端末が発信した特番に変換し、この変換後の特番を移動端末に通知した後で位置情報を取得する。
【００２９】
なお、移動端末１の位置情報が登録される別の装置が本システム内に設けられていれば、その装置から取得した結果を「位置情報」としてもよい。さらに、この装置をＭＳＣ４と一体にし、ＭＳＣ４内に移動端末１の位置情報を登録してもよい。これらの場合においても、検索側である受付台のＩＤを、移動端末が発信した特番に変換し、この変換後の特番を移動端末に通知した後で位置情報を取得する。
【００３０】
（まとめ）
以上のように本システムでは、移動通信加入者交換局が検索者である受付台と被検索者の移動端末との間における通話情報に基づき位置情報取得許容制御を行い、また、被検索者の移動端末へ検索者ＩＤを通知する際に検索者ＩＤを受付台の集合体である特番に変換することにより、被検索者のプライバシーを確保しつつ、被検索者は緊急通報の特番のみ認識して位置情報を送受信できる。
【産業上の利用可能性】
【００３１】
本発明は、移動端末からの緊急通報の特番接続時において、その移動端末の位置情報を取得する場合に利用できる。
【図面の簡単な説明】
【００３２】
【図１】位置情報取得制御装置を用いたシステム全体の構成を示す図である。
【図２】図１中のＭＳＣの機能構成例を示すブロック図である。
【図３】移動端末が特番接続通信中の場合における位置情報取得処理を示すシーケンス図である。
【図４】緊急通報の特番に対応する接続先裏番号と、受付台の検索者ＩＤとの事前登録例を示す図である。
【図５】移動端末が待ち受け中の場合における位置情報取得処理を示すシーケンス図である。
【符号の説明】
【００３３】
１  移動端末
２  基地局
３  無線制御局
４  移動通信加入者交換局
５  移動通信関門交換局
６  加入者情報管理装置
７  受付台
１０  無線エリア
２０  緊急連絡先
４０  通話履歴記憶機能
４１  認証機能
４２  変換機能
４３  位置情報取得機能
４４  通話履歴通知機能
【図１】
2007274425.tif 000003
【図２】
2007274425.tif 000004
【図３】
2007274425.tif 000005
【図４】
2007274425.tif 000006
【図５】
2007274425.tif 000007